(57)【特許請求の範囲】
【請求項１】
被写体を撮像して画像データとして出力する撮像手段と、
前記画像データを画像ファイルとして記憶媒体に記録する記録手段と、
前記画像ファイルの再生を行う再生手段と、
パスワードの設定或いは変更を行うパスワード設定変更手段と、
前記パスワードの削除を行うパスワード削除手段と、
前記画像ファイルを再生する場合に前記パスワードを入力しなければ再生できないパスワードロックモードを設定するパスワードロックモード設定手段と、を備え、
前記パスワード削除手段は、前記パスワードを削除するときには前記画像データを併せて削除し、
前記パスワード削除手段は、前記パスワードを削除するときには、前記記憶媒体に記録された画像ファイルの中で前記パスワード設定変更手段が当該パスワードに変更した後に記録された画像ファイルのみを併せて削除することを特徴とする撮像装置。
【請求項２】
警告手段を備え、
該警告手段は、前記パスワード削除手段が前記パスワードを削除するときに前記画像データを併せて削除することについて警告することを特徴とする請求項１に記載の撮像装置。
【請求項３】
被写体を撮像して画像データとして出力する撮像工程と、
前記画像データを画像ファイルとして記憶媒体に記録する記録工程と、
前記画像ファイルの再生を行う再生工程と、
パスワードの設定或いは変更を行うパスワード設定変更工程と、
前記パスワードの削除を行うパスワード削除工程と、
前記画像ファイルを再生する場合に前記パスワードを入力しなければ再生できないパスワードロックモードを設定するパスワードロックモード設定工程と、を備え、
前記パスワード削除工程は、前記パスワードを削除するときには前記画像データを併せて削除し、
前記パスワード削除工程は、前記パスワードを削除するときには、前記記憶媒体に記録された画像ファイルの中で前記パスワード設定変更工程において当該パスワードに変更した後に記録された画像ファイルのみを併せて削除することを特徴とする撮像方法。
【請求項４】
警告工程を備え、
該警告工程は、前記パスワード削除工程において前記パスワードを削除するときに前記画像データを併せて削除することについて警告することを特徴とする請求項３に記載の撮像方法。
【発明の詳細な説明】
【技術分野】
【０００１】
本発明は、撮像装置及び撮像方法に関し、特に、撮像した画像ファイルの機密保持及び安全性を確保することができる撮像装置及び撮像方法に関する。
【背景技術】
【０００２】
従来のデジタルカメラでは、撮像した画像ファイルを当該デジタルカメラが備えるハードディスクなどの内部メモリに、或いは当該デジタルカメラに装着して利用するメモリカードなどの外部メモリに記憶し、撮影者がこれらに自由にアクセスして画像ファイルを出力再生することができる。
しかしながら、撮影者以外の人物がデジタルカメラを操作することで、撮影者と同様に自由にメモリにアクセスして画像ファイルを出力再生することができ、機密情報などが漏洩してしまうことが問題となっている。中でも特に、警察、消防などにおける機密情報の漏洩等、公共の利益に反する類のことが大きな問題となり、かかる問題を解決することについての社会からの強い要請がある。
【０００３】
そこで、例えば特許文献１（特開２０００−１２５２３７号公報）では、パスワードを設定し、撮像された画像ファイルをこのパスワードと対応付けて記録することで、画像ファイルの撮影者以外がその画像ファイルを出力再生することができないようにし、撮影者の意図しない画像ファイルの出力再生を防ぐ技術が開示されている。
【０００４】
また、特許文献２（特許第３７８８０１８号公報）では、デジタルカメラの使用者を指紋やパスワードにより特定し、この特定結果に基づいて画像ファイルの再生、消去または複写の各動作についてのアクセス権の認否を行う技術が開示されている。
【０００５】
さらに、特許文献３（特許第４０６５１８４号公報）では、シークレット撮像モードを設定し、このシークレット撮像モードで撮像された画像ファイルの再生、複写についてパスワードに基づき認否を行う技術が開示されている。
【０００６】
またさらに、特許文献４（特開２００５−１３０２７２号公報）では、電源スイッチのオンに応答してパスワード入力を要求し、撮像動作についてこのパスワード入力に基づき認否を行う技術が開示されている。
【０００７】
上記特許文献１〜４に記載の技術によれば、撮像した画像ファイルの機密保持及び安全性を確保することができる。ところが、かかる技術によると、正当な権限を有する利用者であるにも関わらずパスワードを忘れてしまった場合などには、メーカーのカスタマーサポートセンターにデジタルカメラを送り、パスワード解除のサポートを受ける必要があった。このため、機密保持及び安全性を確保することができる一方で、パスワードの削除を簡便に行うことができず、利用者の利便性が損なわれるという問題があった。
【発明の概要】
【発明が解決しようとする課題】
【０００８】
そこで本発明は、以上の従来技術における問題に鑑みてなされたものであり、機密保持及び安全性を確保すると共に、簡便にパスワードの削除を行うことができる撮像装置及び撮像方法を提供することを目的とする。
【課題を解決するための手段】
【０００９】
上記課題を解決するために本発明に係る撮像装置及び撮像方法は、具体的には下記（１）〜（４）に記載の技術的特徴を有する。
（１）：被写体を撮像して画像データとして出力する撮像手段と、前記画像データを画像ファイルとして記憶媒体に記録する記録手段と、前記画像ファイルの再生を行う再生手段と、パスワードの設定或いは変更を行うパスワード設定変更手段と、前記パスワードの削除を行うパスワード削除手段と、前記画像ファイルを再生する場合に前記パスワードを入力しなければ再生できないパスワードロックモードを設定するパスワードロックモード設定手段と、を備え、前記パスワード削除手段は、前記パスワードを削除するときには前記画像データを併せて削除し、前記パスワード削除手段は、前記パスワードを削除するときには、前記記憶媒体に記録された画像ファイルの中で前記パスワード設定変更手段が当該パスワードに変更した後に記録された画像ファイルのみを併せて削除することを特徴とする撮像装置である。
【００１０】
（２）：警告手段を備え、該警告手段は、前記パスワード削除手段が前記パスワードを削除するときに前記画像データを併せて削除することについて警告することを特徴とする上記（１）に記載の撮像装置である。
【００１３】
（３）：被写体を撮像して画像データとして出力する撮像工程と、前記画像データを画像ファイルとして記憶媒体に記録する記録工程と、前記画像ファイルの再生を行う再生工程と、パスワードの設定或いは変更を行うパスワード設定変更工程と、前記パスワードの削除を行うパスワード削除工程と、前記画像ファイルを再生する場合に前記パスワードを入力しなければ再生できないパスワードロックモードを設定するパスワードロックモード設定工程と、を備え、前記パスワード削除工程は、前記パスワードを削除するときには前記画像データを併せて削除し、前記パスワード削除工程は、前記パスワードを削除するときには、前記記憶媒体に記録された画像ファイルの中で前記パスワード設定変更工程において当該パスワードに変更した後に記録された画像ファイルのみを併せて削除することを特徴とする撮像方法である。
【００１４】
（４）：警告工程を備え、該警告工程は、前記パスワード削除工程において前記パスワードを削除するときに前記画像データを併せて削除することについて警告することを特徴とする上記（３）に記載の撮像方法である。
【発明の効果】
【００１７】
本発明によれば、機密保持及び安全性を確保すると共に、簡便にパスワードの削除を行うことができる撮像装置及び撮像方法を提供することができる。
【図面の簡単な説明】
【００１８】
【図１】本発明に係る撮像装置の一実施の形態におけるデジタルカメラの外観の構成を示す概略図である。
【図２】本発明に係る撮像装置の一実施の形態におけるデジタルカメラの構成を示すブロック図である。
【図３】本発明に係る撮像装置における一実施の形態であるデジタルカメラのセットアップメニュー画面の一例を示す図である。
【図４】本発明に係る撮像装置における一実施の形態であるデジタルカメラのパスワード設定画面の一例を示す図である。
【図５】本発明に係る撮像装置における一実施の形態であるデジタルカメラでのパスワードロックモードでの動作の例を示すフロー図である。
【図６】本発明に係る撮像装置における一実施の形態であるデジタルカメラのパスワード認証画面の一例を示す図である。
【図７】本発明に係る撮像装置における一実施の形態であるデジタルカメラでのパスワードロックモードでの動作のその他の例を示すフロー図である。
【図８】パスワードロックモードにおけるパスワード削除の第１の実施の形態の動作を示すフロー図である。
【図９】本発明に係る撮像装置における一実施の形態であるデジタルカメラのパスワード削除確認画面の一例を示す図である。
【図１０】本発明に係る撮像装置における一実施の形態であるデジタルカメラのセットアップメニュー画面のその他の一例を示す図である。
【図１１】パスワードロックモードにおけるパスワード削除の第２の実施の形態の動作を示すフロー図である。
【図１２】パスワードロックモードにおけるパスワード削除の第３の実施の形態の動作を示すフロー図である。
【発明を実施するための形態】
【００１９】
本発明に係る撮像装置は、被写体を撮像して画像データとして出力する撮像手段と、前記画像データを画像ファイルとして記憶媒体に記録する記録手段と、前記画像ファイルの再生を行う再生手段と、パスワードの設定或いは変更を行うパスワード設定変更手段と、前記パスワードの削除を行うパスワード削除手段と、前記画像ファイルを再生する場合に前記パスワードを入力しなければ再生できないパスワードロックモードを設定するパスワードロックモード設定手段と、を備え、前記パスワード削除手段は、前記パスワードを削除するときには前記画像データを併せて削除することを特徴とする。
また、本発明に係る撮像方法は、被写体を撮像して画像データとして出力する撮像工程と、前記画像データを画像ファイルとして記憶媒体に記録する記録工程と、前記画像ファイルの再生を行う再生工程と、パスワードの設定或いは変更を行うパスワード設定変更工程と、前記パスワードの削除を行うパスワード削除工程と、前記画像ファイルを再生する場合に前記パスワードを入力しなければ再生できないパスワードロックモードを設定するパスワードロックモード設定工程と、を備え、前記パスワード削除工程は、前記パスワードを削除するときには前記画像データを併せて削除することを特徴とする。
次に、本発明に係る撮像装置及び撮像方法についてさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００２０】
以下、図面を参照しながら本発明の実施の形態につき説明する。
図１は、本発明の撮像装置の一例であるデジタルカメラの外観図である。また、図２は、本発明の撮像装置の一例であるデジタルカメラのブロック図である。
図１に示すように、デジタルカメラ上面にはユーザーのレリーズを受け付けるレリーズシャッター（ＳＷ１）と、ユーザーによるモード切替を可能とするモードダイアル（ＳＷ２）とが配置されている。また、サブＬＣＤ（１）が設けられ、後述するＳＵＢ−ＣＰＵ（１０９）により制御される。
デジタルカメラ正面には鏡胴ユニット（７）、リモコン受光部（６）、ＣＰＵブロック（１０４−３）により制御される測距ユニット（５）、光学ファインダ（４）、ストロボ回路（１１４）を介してＣＰＵブロック（１０４−３）により制御されるストロボ発光部（３）が設けられ、また側面にはＳＤカード／電池蓋（２）が設けられてなる。
デジタルカメラ背面には、ＬＣＤモニタ（１０）、光学ファインダ（４）、ＡＦ  ＬＥＤ（８）、ストロボＬＥＤ（９）が設けられ、ユーザーからの操作を受け付ける各種スイッチ（ＳＷ３〜ＳＷ１３）が設けられている。
【００２１】
さらに、図１，図２を使用して、本発明の撮像装置の一例であるデジタルカメラの動作を説明する。
【００２２】
図１及び図２において、鏡胴ユニット（７）は、被写体の光学画像を取り込むズームレンズ（７−１ａ）、ズーム駆動モータ（７−１ｂ）からなるズーム光学系（７−１）、フォーカスレンズ（７−２ａ）、フォーカス駆動モータ（７−２ｂ）からなるフォーカス光学系（７−２）、絞り（７−３ａ）、絞りモータ（７−３ｂ）からなる絞りユニット（７−３）、メカシャッタ（７−４ａ）、メカシャッタモータ（７−４ｂ）からなるメカシャッタユニット（７−４）、各モータを駆動するモータドライバ（７−５）を有する。
【００２３】
鏡胴ユニット（７）は、カメラ本体に着脱可能であり、カメラには、様々なズーム倍率、ＣＣＤサイズの鏡胴ユニットが着脱できる。
そして、モータドライバ（７−５）は、リモコン受光部（６）入力や操作部Ｋｅｙユニット（ＳＷ１〜ＳＷ１３）の操作入力に基づく、後述するデジタルスチルカメラプロセッサ（１０４）内にあるＣＰＵブロック（１０４−３）からの駆動指令により駆動制御される。
【００２４】
ＲＯＭ（１０８）には、ＣＰＵブロック（１０４−３）にて解読可能なコードで記述された、制御プログラムや制御するためのパラメータが格納されている。このデジタルカメラの電源がオン状態になると、前記プログラムは不図示のメインメモリにロードされ、前記ＣＰＵブロック（１０４−３）はそのプログラムに従って装置各部の動作を制御するとともに、制御に必要なデータ等を、一時的に、ＲＡＭ（１０７）、及び後述するデジタルスチルカメラプロセッサ（１０４）内にあるＬｏｃａｌＳＲＡＭ（１０４−４）に保存する。ＲＯＭ（１０８）に書き換え可能なフラッシュＲＯＭを使用することで、制御プログラムや制御するためのパラメータを変更することが可能となり、機能のＶｅｒＵｐが容易に行える。
【００２５】
ＣＣＤ（１０１）は、光学画像を光電変換するための固体撮像素子であり、Ｆ／Ｅ（フロントエンド）−ＩＣ（１０２）は、画像ノイズ除去用相関二重サンプリングを行うＣＤＳ（１０２−１）、利得調整を行うＡＧＣ（１０２−２）、デジタル信号変換を行うＡ／Ｄ（１０２−３）、ＣＣＤ１信号処理ブロック（１０４−１）より、垂直同期信号（以下、ＶＤと記す。）、水平同期信号（以下、ＨＤと記す。）を供給され、ＣＰＵブロック（１０４−３）によって制御されるＣＣＤ（１０１）、及びＦ／Ｅ−ＩＣ（１０２）の駆動タイミング信号を発生するＴＧ（１０２−４）を有する。
【００２６】
デジタルスチルカメラプロセッサ（１０４）は、ＣＣＤ（１０１）よりＦ／Ｅ―ＩＣ（１０２）の出力データにホワイトバランス設定やガンマ設定を行い、又、前述したように、ＶＤ信号、ＨＤ信号を供給するＣＣＤ１信号処理ブロック（１０４−１）、フィルタリング処理により、輝度データ・色差データへの変換を行うＣＣＤ２信号処理ブロック（１０４−２）、前述した装置各部の動作を制御するＣＰＵブロック（１０４−３）、前述した制御に必要なデータ等を、一時的に、保存するＬｏｃａｌＳＲＡＭ（１０４−４）、パソコンなどの外部機器とＵＳＢ通信を行うＵＳＢブロック（１０４−５）、パソコンなどの外部機器とシリアル通信を行うシリアルブロック（１０４−６）、ＪＰＥＧ圧縮・伸張を行うＪＰＥＧＣＯＤＥＣブロック（１０４−７）、画像データのサイズを補間処理により拡大／縮小するＲＥＳＩＺＥブロック（１０４−８）、画像データを液晶モニタやＴＶなどの外部表示機器に表示するためのビデオ信号に変換するＴＶ信号表示ブロック（１０４−９）、撮像された画像データを記録するメモリカードの制御を行うメモリカードコントローラブロック（１０４−１０）を有する。
【００２７】
ＳＤＲＡＭ（１０３）は、前述したデジタルスチルカメラプロセッサ（１０４）で画像データに各種処理を施す際に、画像データを一時的に保存する。保存される画像データは、例えば、ＣＣＤ（１０１）から、Ｆ／Ｅ−ＩＣ（１０２）を経由して取りこんで、ＣＣＤ１信号処理ブロック（１０４−１）でホワイトバランス設定、ガンマ設定が行われた状態の「ＲＡＷ−ＲＧＢ画像データ」やＣＣＤ２信号処理ブロック（１０４−２）で輝度データ・色差データ変換が行われた状態の「ＹＵＶ画像データ」、ＪＰＥＧＣＯＤＥＣブロック（１０４−７）で、ＪＰＥＧ圧縮された「ＪＰＥＧ画像データ」などである。
【００２８】
メモリカードスロットル（１２１）は、着脱可能なメモリカードを装着するためのスロットルである。また、ＬＡＮカードや無線ＬＡＮカード、Ｂｌｕｅｔｏｏｔｈカードも挿入可能な構成としても良い。
【００２９】
内蔵メモリ（１２０）は、前述したメモリカードスロットル（１２１）にメモリカードが装着されていない場合でも、撮像した画像データを記憶できるようにするためのメモリである。
【００３０】
また、内蔵メモリ（１２０）には、ストロボモード設定や、画質設定、撮像画像サイズ設定などの各種情報を記憶することができ、カメラの電源をオフしても、再度電源投入時にこれらの情報を読み出して設定することにより、各種設定を保持することができる。
【００３１】
ＬＣＤドライバ（１１７）は、後述するＬＣＤモニタ（１０）を駆動するドライブ回路であり、ＴＶ信号表示ブロック（１０４−９）から出力されたビデオ信号を、ＬＣＤモニタ（１０）に表示するための信号に変換する機能も有している。
【００３２】
ＬＣＤモニタ（１０）は、撮像前に被写体の状態を監視する、撮像した画像を確認する、メモリカードや前述した内蔵メモリ（１２０）に記録した画像ファイルを表示する、などを行うためのモニタである。
【００３３】
ビデオＡＭＰ（１１８）は、ＴＶ信号表示ブロック（１０４−９）から出力されたビデオ信号を、７５Ωインピーダンス変換するためのアンプであり、ビデオジャック（１１９）は、ＴＶなどの外部表示機器と接続するためのジャックである。
【００３４】
ＵＳＢコネクタ（１２２）は、パソコンなどの外部機器とＵＳＢ接続を行う為のコネクタである。
【００３５】
シリアルドライバ回路（１２３−１）は、パソコンなどの外部機器とシリアル通信を行うために、前述したシリアルブロック（１０４−６）の出力信号を電圧変換するための回路であり、ＲＳ−２３２Ｃコネクタ（１２３−２）は、パソコンなどの外部機器とシリアル接続を行う為のコネクタである。
【００３６】
ＳＵＢ−ＣＰＵ（１０９）は、ＲＯＭ・ＲＡＭをワンチップに内蔵したＣＰＵであり、操作Ｋｅｙユニット（ＳＷ１〜１３）やリモコン受光部（６）の出力信号をユーザーの操作情報として、前述したＣＰＵブロック（１０４−３）に出力したり、前述したＣＰＵブロック（１０４−３）より出力されるカメラの状態を、後述するサブＬＣＤ（１）、ＡＦＬＥＤ（８）、ストロボＬＥＤ（９）、ブザー（１１３）の制御信号に変換して、出力する。
【００３７】
サブＬＣＤ（１）は、例えば、撮像可能枚数など表示するための表示部であり、ＬＣＤドライバ（１１１）は、前述したＳＵＢ−ＣＰＵ（１０９）の出力信号より、前述したサブＬＣＤ（１）を駆動するためのドライブ回路である。
【００３８】
ＡＦＬＥＤ（８）は、撮像時の合焦状態を表示するためのＬＥＤであり、ストロボＬＥＤ（９）は、ストロボ充電状態を表すためのＬＥＤである。尚、このＡＦＬＥＤ（８）とストロボＬＥＤ（９）を、メモリカードアクセス中などの別の表示用途に使用しても良い。
【００３９】
操作Ｋｅｙユニット（ＳＷ１〜１３）は、ユーザーが操作するＫｅｙ回路であり、リモコン受光部（６）は、ユーザーが操作したリモコン送信機の信号の受信部である。
【００４０】
音声記録ユニット（１１５）は、ユーザーが音声信号を入力するマイク（１１５−３）、入力された音声信号を増幅するマイクＡＭＰ（１１５−２）、増幅された音声信号を記録する音声記録回路（１１５−１）からなる。
【００４１】
音声再生ユニット（１１６）は、記録された音声信号をスピーカーから出力できる信号に変換する音声再生回路（１１６−１）、変換された音声信号を増幅し、スピーカーを駆動するためのオーディオＡＭＰ（１１６−２）、音声信号を出力するスピーカー（１１６−３）からなる。
【００４２】
電子水準器（１３０）は、カメラの水平の傾き角度を検出できるものである、電子水準器からは、カメラの水平の傾き角度が出力される。
【００４３】
≪パスワードロックモードの第１の実施の形態≫
次に、デジタルカメラにおけるパスワードロックモードの具体例について以下に述べる。ここで、パスワードロックモードとは、記憶媒体に記録された画像ファイルを再生する場合に、パスワードを入力しなければ再生できないモードである。
なお、以下に示す第１の実施の形態、ならびに後述する第２の実施の形態及び第３の実施の形態において、デジタルカメラ本体が備える内蔵メモリ（１２０）が上記記憶媒体に相当する。また、この記憶媒体には、被写体からの反射光（被写体像）が、鏡胴ユニット（７）が備える各種レンズを介して撮像手段としてのＣＣＤ（１０１）に入射し、光電変換された画像データとして出力され、記録手段により画像ファイルとして記録される。この画像ファイルは、再生手段としてのＬＣＤモニタ（１０）で再生表示され、ユーザーが視覚を通じて確認することができる。
【００４４】
＜パスワードの設定（パスワード設定変更手段）＞
図３は、本発明に係る撮像装置における一実施の形態であるデジタルカメラのセットアップメニュー画面の一例を示す図である。
先ず、デジタルカメラの操作Ｋｅｙユニット（ＳＷ１〜１３）を操作して、デジタルカメラのセットアップメニューを表示させる。
ここで、「パスワード設定・変更」の項目を選択すると、パスワード設定画面が表示される。
【００４５】
図４は、本発明に係る撮像装置における一実施の形態であるデジタルカメラのパスワード設定画面の一例を示す図である。
次いで、パスワード設定画面において操作Ｋｅｙユニット（ＳＷ１〜１３）を操作して、パスワードを設定することができる。
設定したパスワードは、内蔵メモリ（１２０）に記憶され、デジタルカメラの電源をオフしても保持される。
【００４６】
＜内蔵メモリパスワードロックモード時の動作＞
図５は、本発明に係る撮像装置における一実施の形態であるデジタルカメラでのパスワードロックモードでの動作の例を示すフロー図である。なお、ここではパスワードを入力しなければ再生できないパスワードロックモードが設定されている場合について説明する。
先ず、デジタルカメラの電源を再生モードで起動すると（ＳＴＥＰ−６０１）、パスワードの認証画面が表示される。図６は、本発明に係る撮像装置における一実施の形態であるデジタルカメラのパスワード認証画面の一例を示す図である。
ここで、操作Ｋｅｙユニット（ＳＷ１〜１３）を操作して、パスワードを入力する。（ＳＴＥＰ−６０２）
入力されたパスワードを判定し（ＳＴＥＰ−６０３）、入力されたパスワードが正しい場合は、カメラで画像を再生する（ＳＴＥＰ−６０４）。一方、入力されたパスワードが正しくない場合は、再生ファイルが無い表示をする（ＳＴＥＰ−６０５）。
【００４７】
また図７は、本発明に係る撮像装置における一実施の形態であるデジタルカメラでのパスワードロックモードでの動作のその他の例を示すフロー図である。
先ず図７に示す例では、デジタルカメラの電源を撮影モードで起動すると（ＳＴＥＰ−７０１）、カメラは、撮影モードになる（ＳＴＥＰ−７０２）。
ここで、再生モードに切り換える（ＳＴＥＰ−７０３）と、パスワードの認証画面が表示される（ＳＴＥＰ−７０４）。そして、これ以降の動作（ＳＴＥＰ−７０５〜ＳＴＥＰ−７０７）については、上述した再生モードで起動した場合（ＳＴＥＰ−６０３〜ＳＴＥＰ−６０５）と同一であるため説明を省略する。
なお、以上説明したように、撮影モードで起動した場合、再生モードに移行するまでの間はパスワード認証を要しないため、パスワードロックモードであっても撮影は通常と同様に行うことができる。
【００４８】
＜パスワードのクリア動作（パスワード削除手段）＞
図８は、パスワードロックモードにおけるパスワード削除の第１の実施の形態の動作を示すフロー図である。
先ず、再生モードでデジタルカメラの電源を投入する（ＳＴＥＰ−８０１）。すると、
パスワードの入力画面が表示される。
ここで、操作Ｋｅｙユニット（ＳＷ１〜１３）を操作して、パスワードを入力する。（ＳＴＥＰ−８０２）
入力されたパスワードを判定し（ＳＴＥＰ−８０３）、入力されたパスワードが正しい場合は、通常の再生動作をする（ＳＴＥＰ−８０４）。一方、入力されたパスワードを間違えた場合において、さらにパスワードクリアのための操作（消去ボタンを押す（ＳＴＥＰ−８０５））がなされると、警告手段によりパスワードをクリアするときの確認画面（警告）が表示される（ＳＴＥＰ−８０６）。図９は、本発明に係る撮像装置における一実施の形態であるデジタルカメラのパスワード削除確認画面の一例を示す図である。
ここで、「はい」を選択して実行すると、内蔵メモリ（１２０）の画像の消去が行なわれ、パスワードがクリアされる。
【００４９】
以上説明したパスワードロックモードの第１の実施の形態によれば、パスワードを忘れたときにパスワードをクリアする動作を行うと、クリアの動作に伴って内蔵メモリの画像ファイルも消去するので、パスワードの入力なしに内蔵メモリの画像ファイルが参照されるのを防ぐと共に、画像ファイルの削除と引き換えにパスワードをクリア及び再設定をすることができる。
【００５０】
≪パスワードロックモードの第２の実施の形態≫
次に、パスワードロックモードの第２の実施の形態について説明するが、本実施の形態においては以下で述べる点を除き、上述したパスワードロックモードの第１の実施の形態と同一であるものとし具体的な説明は省略する。
【００５１】
＜パスワードロックモードの設定（パスワードロックモード設定手段）＞
図１０は、本発明に係る撮像装置における一実施の形態であるデジタルカメラのセットアップメニュー画面のその他の一例を示す図である。
先ず、デジタルカメラの操作Ｋｅｙユニット（ＳＷ１〜１３）を操作して、デジタルカメラのメニューを表示させる（図１０）。
次いで、「カメラロック設定」項目を選択すると、カメラロック設定で、内蔵メモリロック設定（ＯＮ）にするか、ＯＦＦにするかの選択肢が出てくる。ここで、「内蔵メモリロック」を選択すると、カメラは内蔵メモリパスワードロックモードになる。この時、内蔵メモリ（１２０）に記録されている画像の最後の再生番号（最も新しい撮影日時の画像に対応）をデジタルカメラが記憶しておく。
【００５２】
＜パスワードクリア動作時、パスワードロックモード設定以降に記録した画像のみ削除の動作＞
図１１は、パスワードロックモードにおけるパスワード削除の第２の実施の形態の動作を示すフロー図である。
先ず、再生モードでデジタルカメラの電源を投入する（ＳＴＥＰ−１１０１）と、パスワードの入力画面が表示される。
ここで、操作Ｋｅｙユニット（ＳＷ１〜１３）を操作して、パスワードを入力する。（ＳＴＥＰ−１１０２）
入力されたパスワードを判定し（ＳＴＥＰ−１１０３）、入力されたパスワードが正しい場合は、通常の再生動作をする（ＳＴＥＰ−１１０４）。一方、入力されたパスワードを間違えた場合において、さらにパスワードクリアのための操作（消去ボタンを押す（ＳＴＥＰ−１１０５））がなされると、パスワードをクリアするときの確認画面が表示される（ＳＴＥＰ−１１０６）。（図９参照。）
ここで、「はい」を選択して実行すると、内蔵メモリ（１２０）に記録した画像ファイルのうち、内蔵メモリパスワードロックしたときの画像の再生番号（前記最後の再生番号）を読み出し、この番号より後の再生番号の画像の消去が行なわれ、パスワードがクリアされる。
【００５３】
以上説明したパスワードロックモードの第２の実施の形態によれば、パスワードを忘れたときにパスワードをクリアする動作を行うと、クリアの動作に伴って内蔵メモリの画像ファイルのうちパスワードロックモードで撮影された画像ファイルも消去するので、パスワードの入力なしにパスワードロックモードで撮影された内蔵メモリの画像ファイルが参照されるのを防ぐと共に、パスワードロックモードで撮影された画像ファイルの削除と引き換えにパスワードをクリア及び再設定をすることができる。
【００５４】
≪パスワードロックモードの第３の実施の形態≫
次に、パスワードロックモードの第３の実施の形態について説明するが、本実施の形態においては以下に述べる点を除き、上述したパスワードロックモードの第１の実施の形態と同一であるものとし具体的な説明は省略する。
【００５５】
＜パスワードロックモードの設定（パスワードロックモード設定手段）＞
図１０は、本発明に係る撮像装置における一実施の形態であるデジタルカメラのセットアップメニュー画面のその他の一例を示す図である。
先ず、デジタルカメラの操作Ｋｅｙユニット（ＳＷ１〜１３）を操作して、デジタルカメラのメニューを表示させる（図１０）。
次いで、「カメラロック設定」項目を選択すると、カメラロック設定で、内蔵メモリロック設定（ＯＮ）にするか、ＯＦＦにするかの選択肢が出てくる。ここで、「内蔵メモリロック」を選択すると、カメラは内蔵メモリパスワードロックモードになる。この時、内蔵メモリ（１２０）に記録されている画像の最後の再生番号（最も新しい撮影日時の画像に対応）をデジタルカメラが記憶しておく。
【００５６】
＜パスワードの変更（パスワード設定変更手段）＞
先ず、デジタルカメラの操作Ｋｅｙユニット（ＳＷ１〜１３）を操作して、デジタルカメラのメニューを表示させる（図３参照。）。
次いで、「パスワード設定・変更」項目を選択すると、パスワードの認証画面が表示される（図５参照。）。ここで、現在設定されているパスワードを入力すると、パスワード設定画面が表示される。（図４参照。）このパスワード設定画面において操作Ｋｅｙユニット（ＳＷ１〜１３）を操作して新しいパスワードを設定することができる。
設定した新しいパスワードは、内蔵メモリ（１２０）に記憶され、デジタルカメラの電源をオフしても保持される。
この時、内蔵メモリ（１２０）に記録されている画像の最後の再生番号をデジタルカメラが記憶しておく。
【００５７】
＜パスワードクリア動作時、内蔵メモリパスワード変更以降に記録した画像のみ削除の動作＞
図１２は、パスワードロックモードにおけるパスワード削除の第３の実施の形態の動作を示すフロー図である。
先ず、再生モードでデジタルカメラの電源を投入する（ＳＴＥＰ−１２０１）と、パスワードの入力画面が表示される。
ここで、操作Ｋｅｙユニット（ＳＷ１〜１３）を操作して、パスワードを入力する。（ＳＴＥＰ−１２０２）
入力されたパスワードを判定し（ＳＴＥＰ−１２０３）、入力されたパスワードが正しい場合は、通常の再生動作をする（ＳＴＥＰ−１２０４）。一方、入力されたパスワードを間違えた場合において、さらにパスワードクリアのための操作（消去ボタンを押す（ＳＴＥＰ−１２０５））がなされると、パスワードをクリアするときの確認画面が表示される（ＳＴＥＰ−１１０６）。（図９参照。）
ここで、「はい」を選択して実行すると、内蔵メモリ（１２０）に記録した画像ファイルのうち、パスワード変更したときの画像の再生番号（前記最後の再生番号）を読み出し、この番号より後の再生番号の画像の消去が行なわれ、パスワードがクリアされる。
【００５８】
以上説明したパスワードロックモードの第３の実施の形態によれば、パスワードを忘れたときにパスワードをクリアする動作を行うと、クリアの動作に伴って内蔵メモリの画像ファイルのうちパスワード変更後に撮影された画像ファイルも消去するので、パスワードの入力なしにパスワード変更後に撮影された内蔵メモリの画像ファイルが参照されるのを防ぐと共に、パスワード変更後に撮影された画像ファイルの削除と引き換えにパスワードをクリア及び再設定をすることができる。
【００５９】
以上説明したように、本発明によれば、機密保持及び安全性を確保すると共に、簡便にパスワードの削除を行うことができる撮像装置及び撮像方法を提供することができる。
【符号の説明】
【００６０】
１  サブＬＣＤ
２  ＳＤカード／電池蓋
３  ストロボ発光部
４  光学ファインダ
５  測距ユニット
６  リモコン受光部
７  鏡筒ユニット
８  ＡＦ  ＬＥＤ
９  ストロボＬＥＤ
１０  ＬＣＤモニタ
【先行技術文献】
【特許文献】
【００６１】
【特許文献１】特開２０００−１２５２３７号公報
【特許文献２】特許第３７８８０１８号公報
【特許文献３】特許第４０６５１８４号公報
【特許文献４】特開２００５−１３０２７２号公報
【図１】
0005585278.tif 000002
【図２】
0005585278.tif 000003
【図５】
0005585278.tif 000004
【図７】
0005585278.tif 000005
【図８】
0005585278.tif 000006
【図９】
0005585278.tif 000007
【図１１】
0005585278.tif 000008
【図１２】
0005585278.tif 000009
【図３】
0005585278.tif 000010
【図４】
0005585278.tif 000011
【図６】
0005585278.tif 000012
【図１０】
0005585278.tif 000013